(57)【特許請求の範囲】
【請求項１】
ユニットの前と後に配置された多数の直立材３ａ，３ｂを備え、側面パネル４ａ，４ｂ，４ｃと後パネル５と前クロスバー７上の開放可能な前カバー６ａとを備えたモジュール構造より成り、ユニットは慣用手段によって連結され、骨壷を収納するべく縦列に順次上に配置された標準保管スペースの床及び天井を形成する多数の水平な棚８の設置が可能であり、該モジュール構造は、隣接するモジュール構造に横方向で取り付けることが可能であり、前カバー６ａが、それに装飾的要素又は同等物の壁画又はモザイクを固着し得る基材を形成する型式のモジュール式遺骨安置所において、
前記モジュール構造が、側面パネル４ａ，４ｂ，４ｃ上の屈曲された前タブ４１によって前直立材３ａにボルト止めされる該側面パネル４ａ，４ｂ，４ｃを有し、該側面パネル４ａ，４ｂ，４ｃは、後直立材３ｂのスロット３６に挿入可能なＬ字形状タブ４３によって後直立材３ｂに結合され、前直立材３ａの底部は、地面のいかなる高さの不整合にも適合するように高さ調節可能な脚３ｃによって延長され、下方ベース・パネル６ｃが脚３ｃの間に固着され、一方、前直立材３ａは、前クロスバー７によって相互に接続され、各クロスバー７は、縦材ガイド７１を有し、該縦材ガイドの上には、該縦材ガイドに沿って横方向に移動可能なブロック要素７２が配置され、該縦材ガイド７１は、前カバー６ａを固着するための突出状タブ６１の挿通が可能なスロット７８並びに中央開口７７であって、該中央開口を介して、前カバー６ａの係止又は係止解除をするようにブロック要素７２の駆動が可能な該中央開口を有し、矩形形状の薄板の後パネル５は、後直立材３ｂのスロット３６に固着するために一側に屈曲した脇タブ５１を有することを特徴とする遺骨安置所。
【請求項２】
各前直立材３ａは、Ｕ字形状断面の薄板片より成り、その両脇ウイング部分は、側面パネル４ａ，４ｂ，４ｃを固着するボルト用の穴３１を有し、その前面部分は、各端にクロスバー７の縦材ガイド７１を取り付けるための数組の穴３２を有することを特徴とする請求項１に記載の遺骨安置所。
【請求項３】
前直立材３ａの上端部が上方ボーダー・パネル６ｂを取り付けるためのスロット３３を有することを特徴とする請求項２に記載の遺骨安置所。
【請求項４】
ボーダー・パネル６ｂが、矩形形状の薄板材より成り、その縁が、スロット３３への取り付けのための、後方に屈曲したＬ字形状のタブ６２を有することを特徴とする請求項３に記載の遺骨安置所。
【請求項５】
各後直立材３ｂが、Ｕ字形状断面の薄板片より成り、その中央には、一列に並んだスロット３６であって、側面パネル４ａ，４ｂ，４ｃ及び後パネル５の取り付けのための該スロットを有し、脇ウイング部分は、壁又は後方垂直要素へ固着する手段の組み付けのための穴３７を有することを特徴とする請求項１に記載の遺骨安置所。
【請求項６】
クロスバー７の縦材ガイド７１の各端部が、慣用手段によって前直立材３ａに固着するための穴７４を備えた突出状タブ７３を有することを特徴とする請求項１又は２のいずれかに記載の遺骨安置所。
【請求項７】
クロスバー７が、Ｕ字形状断面の薄板枠体より成るブロック要素７２を含み、その前面部分は、器具の入口を提供する開口７５と近接する前カバー６ａ上のタブ６１の差込み及び引き抜きのための２つのスロット７６を有することを特徴とする請求項１に記載の遺骨安置所。
【請求項８】
前カバー６ａは、矩形形状の薄板枠体より成り、その上縁及び下縁は、近接するクロスバー７のブロック要素７２によって閉鎖位置に保持されるように後方に且つ反対方向に屈曲されているタブ６１を有することを特徴とする請求項１に記載の遺骨安置所。
【請求項９】
側面パネル４ａ，４ｂ，４ｃの上縁と下縁は、一側と他側とに交互に屈曲された複数のタブ４４であって、上方又は下方の隣接する側面パネル４ａ，４ｂ，４ｃ上のタブ４４と協働して２つの脇溝を形成して棚８の支持を提供する該複数のタブ４４を含むことを特徴とする請求項１に記載の遺骨安置所。
【請求項１０】
側面パネル４ａ，４ｂ，４ｃの前縁上のタブ４１は、Ｕ字形状に成形され、一側と他側とに交互に屈曲され、前直立材３ａの内側にボルト止めするための溶接されたナットと穴４２とを備えることを特徴とする請求項１又は２のいずれかに記載の遺骨安置所。
【請求項１１】
側面パネル４ｂ，４ｃの表面が、前から後へと整列する数組の窓４５を有し、この窓は、一側と他側とに交互に屈曲させられたタブ４６を有し、この上に、骨壷を安置するための水平な棚８が載せられることを特徴とする請求項１に記載の遺骨安置所。
【請求項１２】
内部保管スペース１又は開口の各々の床と天井を形成する棚８は、矩形形状の板材より成り、その両方の長手縁は、横向きＵ字形状に屈曲されたタブ８１を有し、このタブは、側面パネル４ａ，４ｂ，４ｃ上のタブ４４，４６によって形成される溝内に支えられることを特徴とする請求項１、２又は１１のいずれかに記載の遺骨安置所。
【請求項１３】
後直立材３ｂの背面が、壁に固着するためのブラケット９を含むことを特徴とする請求項１に記載の遺骨安置所。
【請求項１４】
高さ調節可能な脚３ｃが、ベース・パネル６ｃを取り付けるためのスロット３５と側面パネル４ａを取り付けるための脇穴とを備えたＵ字形状に屈曲された薄板要素より成り、閉鎖端を有しており、その中に、縦方向での調節が可能なボルト３４が設けられていることを特徴とする請求項１に記載の遺骨安置所。
【請求項１５】
各前閉鎖カバー６ａ、ボーダー・パネル６ｂ及びベース・パネル６ｃの前面に固着されるのは、永代的な場所での遺骨安置所の最終の美術的及び装飾的目的である全体的な壁画又はモザイクの一部分を構成する、セラミック製銘板、天然又は人工石平板、プラスチック写真プリント、又はそれらの同等物のような、１区画片２であり、各区画片２には、壁画の組み立て、及び、事後的な、復元又は修理のための位置決めを支援するために指示書が正確に貼られることを特徴とする請求項１又は８のいずれかに記載の遺骨安置所。
【発明の詳細な説明】
【技術分野】
【０００１】
この発明は、金属構造のモジュール式遺骨安置所に関する。
【背景技術】
【０００２】
今日、葬儀において遺体を火葬とし、散骨であるか又はその生涯に関連した原由に係る何れかの場所への埋葬であるか係らず、遺骨の特定の場所への埋葬の意志を生前に故人が表明することが一般的である。従って、遺骨安置所の使用は、隠れた礼拝堂、スポーツ・クラブ及び信仰又は興趣の原由に関係するその他の場所のような特別な意義のある場所及び共同墓地の両方において、多くの人の遺骨を納めた骨壷を集合して安置するのに一般的である。
【０００３】
本件出願人所有のスペイン実用新案ＥＳ１０５３７３９Ｕは、ユニットの前と後に配置された多数の直立材を備え、側面パネルと後パネルと前クロスバー上の開放可能な前カバーを備え、そのユニットは慣用手段で連結されたモジュール構造より成る形式の遺骨安置所を開示する。このモジュール構造により、骨壷を収納すべく縦列に順次上に配置される標準保管スペースの床及び天井を形成する多数の水平な棚を配設することが可能である。このモジュール構造は、隣接するモジュール構造に横方向で取り付けることができ、そのカバーは、モザイク、装飾的要素又はそれらの同等物を固着することが可能な基材を形成する。
【０００４】
この遺骨安置所は、その種々の要素が鋼板及び鋼管より作成されているため、軽量で設置場所への運搬が容易であり、そして、組立作業のための特別な必要なしに遺骨安置所を組み立てることが可能である。さらに、特別な意義がある場合には、又は所望の装飾を使用する場合には、その場所を象徴する外部装飾で遺骨安置所を仕上げることができる。
【発明の開示】
【発明が解決しようとする課題】
【０００５】
しかしながら、その遺骨安置所は非常に多数の異なる部品より成り、その遺骨安置所の最終位置での取り扱いには多大な時間を要し、したがって、製造コストが予算に対して十分には見合わず且つその組み立てのために専門の要員を必要とすることを意味する。
【課題を解決するための手段】
【０００６】
この発明の目的であるモジュール式遺骨安置所は、異なる部品の数を減らし、その組み立てを、より単純化し且つより経済的とすることによって、その生産と軽量さとを改善するように設計されており、それにより専門的知識がなくても組み立て可能な技術的特徴を提示する。遺骨安置所の寸法は、また、それが設置されるべき場所の条件に容易に適合させることが可能である。
【０００７】
すなわち、そのモジュール構造物は、側面パネルの屈曲された前タブ上のボルトによって前直立材に結合された側面パネルを有しており、各々、側面パネルは、後直立材のスロットに挿入可能なＬ字形状タブによって後直立材に結合される。前直立材の底部は、高さ調節可能な脚によって延長されてどのような高さ不整合な地面にも適合し、その脚の間には、下方ベース・パネルが固着される。前記の前直立材は前クロスバーによって相互に接続され、この前クロスバーは縦材ガイドを有しており、この縦材ガイドの上には、この縦材ガイドに沿って横方向に移動可能なブロック要素が配置される。縦材ガイドは、前カバーの突出状のタブを挿通させるためのスロットを有する。さらに、縦材ガイドは、中央開口を有しており、この中央開口を介して、ブロック要素は駆動されて、前記の前カバーの係止又は係止解除を行うことができる。
【０００８】
このモジュール構造では、組み立ての必要に応じてより多数の隣接するモジュール構造を付け加えて遺骨安置所の横寸法を容易に調節することができ、この相互接続によって強靭で且つ抵抗性のある形態を達成する。その高さは、また、設置場所の要求に合わせて調節可能である。
【０００９】
後パネルは矩形形状で、その脇タブは一側に曲げられており、これにより、後直立材のスロットに固着され、側面パネルの間に挟持されて骨壷の収納及び安置が可能な保管スペースの幅を定める。
【００１０】
各前直立材は、Ｕ字形状断面の薄板材より成り、その両脇ウイング部分は、側面パネルを固着するボルト用の穴を有しており、その前面部分はクロスバーの縦材ガイドを各端に取り付けるための数組の穴を有している。
【００１１】
前直立材の上端部は、上方ボーダー・パネルを取り付けるためのスロットを有する。このボーダー・パネルは、矩形状の薄板より成り、その縁は、前直立材のスロットへの取り付けのために後方へ曲げられたＬ字形状のタブを有する。このボーダー・パネルは、前カバー及び下方ベース・パネルと協働して、前面の装飾モチーフの支持手段として均一な仕上がりを提供することを可能とする。
【００１２】
次に、各後直立材は、Ｕ字形状断面の薄板片より成り、その中央部分は、側面パネルの取り付けのための一列に並んだスロットと脇ウイング部分の穴であって、それに対して遺骨安置所が構築される壁又は後方垂直要素へ固着する手段の組み付けのための穴を有する。
【００１３】
この発明によれば、クロスバーは、Ｕ字形状断面の薄板枠体より成るブロック要素を有しており、ブロック要素は、縦材ガイド内で容易に移動することが可能である。ブロック要素の前面には、器具の入り口を提供する開口、及び、近接した前カバーのタブの差し込み及び引き抜きのための各側の２つのスロットを有しており、これらのスロットは、各々、前カバーの各々において２つの高さに位置付けられる。
【００１４】
前カバーは、矩形状の薄板枠体より成り、その上縁と下縁は、近接するクロスバーのブロック要素によって閉鎖位置に保持されるべく、後方に且つ反対方向に曲げられたタブを有する。すなわち、この２つのブロック要素は、前カバーの保持が可能であり、前カバーは、クロスバーに取り付けられ、縦材ガイド上のタブと取付位置にあるブロック要素上のタブの間に配設される弾性要素の働きによって閉鎖位置に保持される。
【００１５】
この発明によれば、遺骨安置所の側面は、順次上に配置された１つ以上の側面パネルによって構成される。これらの側面パネルの上縁及び下縁は、一側と他側に交互に屈曲された複数のタブであって、上方に隣接する又は下方に隣接する側面パネルの同様のタブと協働して２個の脇溝を形成する該複数のタブを有し、これにより棚に対する支持を提供する。
【００１６】
側面パネルの前縁上のタブは、Ｕ字形状に成形され、一方向と他方向とに交互に向いている。これらのタブは、前直立材の内側に該前直立材の脇ウイング部分からボルト締めするための溶接されたナット及び穴を有する。
【００１７】
上述したように、モジュール構造の側面は２つ以上の側面パネルより成り、これは、異なる高さの連続棚の異なる支持階層を形成する手段を提供する。この目的のため、側面パネルの表面は、前から後へと整列する数組の窓を有し、この窓は、一側と他側とに交互に屈曲されたタブを有し、この上に、骨壷を安置するための中間棚が載せられる。すなわち、骨壷の各対は、２つ以上の階層の棚を占めることが可能である。
【００１８】
内部空間又は開口の各々の床及び天井を形成するこれらの棚の各々は、矩形形状の板材より成り、その両方の長手縁は、横向きのＵ字形状に屈曲されたタブを有し、このタブは、側面パネルのタブによって形成される溝に支えられる。
【００１９】
遺骨安置所のモジュール構造を後方の支持壁に固着するべく、後直立材の背面を支持壁に固着するためのブラケットが設けられる。
【００２０】
高さ調節可能な脚は、前面の掛け止めスロットと側面の連結ナットを備えたＵ字形状に屈曲された薄板枠体より成り、その一端は閉じられており、その中には、調節可能なボルトが縦方向の向きで配設されており、これにより、地面上に確実に載置することを確保する。
【００２１】
前側の閉鎖カバーの外面に固着されるのは、その永代的な場所に置かれる遺骨安置所の最終の美術的及び装飾的な目的である全体的な壁画又はモザイクの一部を形成する、セラミック製銘板、天然又は人工石平板、プラスチック写真プリント、又はそれらの同等物の区画片である。各一区画片には、壁画の組み立て及び後続の復元又は修理における位置決めを助けるために正確に指示書が貼られる。
【発明を実施するための最良の形態】
【００２２】
添付図面に見ることが可能なように、この出願の遺骨安置所は、一連のモジュール構造より成り、このモジュール構造の側部は相互に付けて骨壷を収納する複数の保管スペース１を形成し、このモジュール構造の前面は、図１に示されるように、前面の装飾壁画の複数の区画片２から成る装飾モチーフを有することができる。
【００２３】
各モジュール構造は、前と後に配置された２対の直立材３ａ，３ｂと、各側面の直立材３ａ，３ｂの間に配置された側面パネル４ａ，４ｂ，４ｃと、後直立材３ｂに設置された後パネル５と、２つの前直立材３ａの間の横断的クロスバー７に取り付けられた開放可能な前カバー６ａとより成り、前記の前直立材３ａの上端には上方ボーダー・パネル６ｂが在り、一方、これらの前直立材３ａの底部には、高さ調節可能な脚３ｃと下方ベース・パネル６ｃとが在る。モジュール構造の内側には、骨壷を収納すべく縦列に順次上に配置される標準保管スペースの床と天井を形成する多数の水平な棚８が在る。
【００２４】
そして、図４に示される各前直立材３ａは、Ｕ字形状断面の薄板片より成り、その両脇ウイング部分は、側面パネル４ａ，４ｂ，４ｃを固着するボルト用の穴３１を有しており、一方、前記の前直立材３ａの前面部分は、各端にクロスバー７を取り付けるための数組の穴３２を有する。各前直立材３ａの上端部は、上方ボーダー・パネル６ｂを取り付けるためのスロット３３を有する。上述したように、各前直立材３ａの底部は、図６に示される高さ調節可能な脚３ｃの形態で延長されており、これは、近接する前直立材３ａと同様な特性の、Ｕ字形状に屈曲された薄板要素より成り、この高さ調節可能な脚３ｃの底部端は、縦方向での調節が可能なボルト３４によって閉鎖されている。前記の高さ調節可能な脚３ｃの前面部は、ベース・パネル６ｃを取り付けるためのスロット３５を有する。そして、高さ調節可能な脚３ｃの脇ウイング部分は、近接する側面パネル４ａにボルトで固着するための穴３１を有する。
【００２５】
前直立材３ａの間には、これらを連結するとともに棚８と協働して各保管スペース１の上限と下限とを定めるクロスバー７が在る。図７，８及び９に示される各クロスバー７は、縦材ガイド７１より成り、この縦材ガイドの上には、この縦材ガイドに沿って横方向に移動可能なブロック要素７２が配置される。クロスバー７の縦材ガイド７１は、Ｕ字形状に屈曲された薄板枠体より成り、その各端部には、前直立材３ａの穴３２にボルト止めするための穴７４を備えた突出状タブ７３を有する。ブロック要素７２も、また、Ｕ字形状であり、弾性要素（図示しない）によって縦材ガイドの中心に向かって押された状態で縦材ガイド７１内で移動可能に配置されることが可能である。ブロック要素７２の前面部分は、器具の入り口を提供する開口７５並びに近接する前カバー６ａの上方及び下方タブ６１を差込み且つ引き抜くための２つの平行なスロット７６を有する。次に、縦材ガイド７１も、また、器具の入り口を提供する開口７７とタブ６１を差込み且つ引き抜くための各ブロック要素７２用の一対の平行なスロット７８を有しており、前カバー６ａは、タブ６１のスロット７８を介するスロット７６への挿入係止により取り付けられ、開口７７を介して開口７５に係合する器具の操作によってブロック要素７２を駆動してタブ６１に対するスロット７６の係止を解除して、取り外す。
【００２６】
前面閉鎖カバー６ａは、矩形形状の薄板枠体より成り、その下縁及び上縁は、クロスバー７に対して係止するタブを有しており、これらのタブ６１は、内向き方向に屈曲され且つ相互に逆向きに配置されている。各カバー６ａ、ボーダー・パネル６ｂ、及びベース・パネル６ｃの前面に固着されるのは、一区画片２であり、この例では、永代的な場所において遺骨安置所の最終的な美術的且つ装飾的な目的である全体的な前面壁画の一部分を構成する写真プリントを備えたセラミック製銘板であり、各区画片２には、その組み立て及び修理のための指示書が貼り付けられる。
【００２７】
図１４と１５に示されるボーダー・パネル６ｂとベース・パネル６cの両者は、矩形形状の薄板片より成り、その縁部分には、前直立材３ａ及び高さ調節可能な脚３ｃに固着するためのＬ字形状のタブ６２を有する。
【００２８】
図５に示される後直立材３ｂは、Ｕ字形状断面の薄板片より成り、その中央には、後パネル５及び側面パネル４ａ，４ｂ，４ｃを取り付けるための一列に並んだ穴３６を有しており、一方、その脇ウイング部分は、図１８に示されるブラケット９によって壁に固着するための穴３７を有する。
【００２９】
図１０，１１，１２に示されている側面パネル４ａ，４ｂ，４ｃは、骨壷を収納するための異なる保管スペース１の側壁を形成できるように異なる高さの３種類のパネルを有している。各側面パネル４ａ，４ｂ，４ｃは、矩形形状の薄板材より成り、その前面は、Ｕ字形状に屈曲され、一方向と他方向に交互に向いている前タブ４１を有しており、これらのタブ４１は、前直立材３ａの脇ウイング部分に固着するための穴４２とナットを有しており、一方、後縁は、後直立材３ｂの前側のスロット３６に固着するためのＬ字形状のタブ４３を有する。各側面パネル４ａ，４ｂ，４ｃの上縁及び下縁は、複数のタブ４４を有しており、これらのタブは、一側と他側に交互に屈曲されて、上方又は下方に隣接する側面パネル４ａ，４ｂ，４ｃ上のタブ４４と協働して２つの脇溝を形成しており、かくして、この溝が棚８の支えを提供する。
【００３０】
中間及び上方の側面パネル４ｂ，４ｃは、各々、１つの保管スペースの３倍及び２倍の高さを有しており、それらの表面には、前から後へと整列する数組の窓４５を有しており、窓４５は、一側と他側とに交互に屈曲されたタブ４６を有し、このタブの上に、骨壷を安置するための中間棚８を載せ、かくして、側面パネル４ｂ，４ｃは、２つ又は３つの保管スペースをカバーする。
【００３１】
図１６に示される棚８の各々は、矩形形状の薄板材より成り、その両方の長手縁は、横向きＵ字形状に屈曲されたタブ８１を有しており、このタブは、側面パネル４ａ，４ｂ，４ｃのタブ４４，４６により形成された溝内に支えられる。
【００３２】
次に、モジュール構造の後部は、図１７に示される、タブ５１を備えた、いくつかの矩形形状の後パネル５より成り、タブ５１は、後直立材３ｂのスロット３６への固着に適するように一側に屈曲されている。
【００３３】
好実施例に加えて、この発明の特徴について十分に説明したが、説明された要素の材料、形態、寸法及び配置は、この出願の請求項に記載の本発明の本質的特徴の改変を含まないことを条件として、変更することが可能であることに留意されるべきである。
【図面の簡単な説明】
【００３４】
【図１】前面の壁画と２つの開いた保管スペースを有する遺骨安置所の透視図である。
【図２】遺骨安置所の１つの縦列又はモジュールの透視図である。
【図３】遺骨安置所の１つの縦列の背面の透視図である。
【図４】前直立材の透視図である。
【図５】後直立材の背面の透視図である。
【図６】高さ調節可能な脚の透視図である。
【図７】クロスバーの分解図である。
【図８】クロスバーの縦材の背面の透視図である。
【図９】クロスバーのブロック要素の背面の透視図である。
【図１０】単一及び多重高さのいくつかの側面パネルの透視図である。
【図１１】単一及び多重高さのいくつかの側面パネルの透視図である。
【図１２】単一及び多重高さのいくつかの側面パネルの透視図である。
【図１３】上方ボーダー・パネルと壁画の前面装飾一区画片取り付けの透視図である。
【図１４】遺骨安置所の下方ベース・パネルの透視図である。
【図１５】遺骨安置所の上方ボーダー・パネルの透視図である。
【図１６】縦方向の支持タブの視認を可能とした棚の下面の透視図である。
【図１７】２つの後パネルの透視図である。
【図１８】壁に固着するブラケットの透視図である。
【符号の説明】
【００３５】
１    保管スペース
２    区画片
３ａ  前直立材
３ｂ  後直立材
３ｃ  高さ調節可能な脚
４    側面パネル
５    後パネル
６ａ  前カバー
６ｂ  上方ボーダー・パネル
６ｃ  下方ベース・パネル
７    クロスバー
８    棚
３２  穴
３３  スロット
３４  ボルト
３５  スロット
３７  穴
４１  タブ
４２  穴
４３  タブ
４４  タブ
４５  窓
４６  タブ
５１  脇タブ
６１  タブ
７１  縦材ガイド
７２  ブロック要素
７３  突出状タブ
７４  穴
７５  開口
７６  スロット
７７  開口
７８  スロット
８１  タブ
【図１】
0005053219.tif 000002
【図２】
0005053219.tif 000003
【図３】
0005053219.tif 000004
【図４】
0005053219.tif 000005
【図５】
0005053219.tif 000006
【図６】
0005053219.tif 000007
【図７】
0005053219.tif 000008
【図８】
0005053219.tif 000009
【図９】
0005053219.tif 000010
【図１０】
0005053219.tif 000011
【図１１】
0005053219.tif 000012
【図１２】
0005053219.tif 000013
【図１３】
0005053219.tif 000014
【図１４】
0005053219.tif 000015
【図１５】
0005053219.tif 000016
【図１６】
0005053219.tif 000017
【図１７】
0005053219.tif 000018
【図１８】
0005053219.tif 000019